(57)【特許請求の範囲】
【請求項１】
揺動自在に連結された開閉方向複数枚のスラットからなるシャッターカーテンを巻取りドラムに巻装し、巻取りドラムの正逆回転に伴いシャッターカーテンが開口部を開放する全開姿勢と開口部を閉鎖する全閉姿勢とのあいだを開閉変姿するよう構成された建築用シャッター装置において、
前記シャッターカーテンを、互いに異形となる第一、第二スラットを用いて形成するにあたり、
第一スラットは、開口部を目隠し状に閉鎖する汎用の閉塞用スラット、第二スラットは、通気、採光機能を有していて閉塞用スラットとは異形の通気用スラットであって、
シャッターカーテンは、全閉姿勢から全開姿勢への変姿では、巻取りドラムに閉塞用スラットから順次巻装され、通気用スラットはシャッターカーテンの閉鎖方向先端部に設けられていて全開姿勢で巻取りドラムに巻装されたシャッターカーテンの最外周に巻装されるものであり、
かつ、通気用スラットの連結枚数を、全開姿勢におけるシャッターカーテンの巻取りドラムへの巻装状態で、通気用スラット同士が積層状態とならない範囲の枚数に設定したことを特徴とする建築用シャッター装置。
【請求項２】
第一、第二スラットは、開閉方向中間部の本体部と、該本体部の開閉方向両端部に形成され、隣接するスラットとの連結をする一対の連結片部とにより構成され、第一、第二スラットの連結片部同士が互いに連結可能な形状に形成されていることを特徴とする請求項１に記載の建築用シャッター装置。
【請求項３】
シャッターカーテンは、第二スラットの閉鎖方向先端部に、主施錠装置が設けられた座板スラットが連結される一方、第一スラットと第二スラットとのあいだに、副施錠装置が設けられた施錠用スラットが連結されていることを特徴とする請求項１または２に記載の建築用シャッター装置。
【発明の詳細な説明】
【技術分野】
【０００１】
本発明は、建築物の出入り口部や窓部等の開口部に設けられる建築用シャッター装置の技術分野に関するものである。
【背景技術】
【０００２】
一般に、建築用シャッター装置のなかには、開閉方向複数枚のスラットを揺動自在に連結してシャッターカーテンを構成し、該シャッターカーテンを巻取りドラムに巻装して、巻取りドラムの正逆回転に伴いシャッターカーテンが開口部を開放する全開姿勢と開口部を閉鎖する全閉姿勢とのあいだを開閉変姿するように構成したものがある。このようなものにおいて、シャッターカーテンを構成するスラットは全て同形状とするのが一般的であり、このため、例えばシャッターカーテンに通気、採光機能を備える場合では、全てのスラットに複数の通気、採光用の貫通孔を形成したものや、シャッターカーテンの全閉姿勢への変姿の前後に、各スラットが傾斜姿勢となってブラインド状となるように連結し、隣接するスラット同士のあいだに通気、採光用の隙間が形成されるようにしたもの等が提唱されている。ところが、前者のものはプライバシーや、雨仕舞いの観点から設置箇所によっては採用できないという問題があり、後者のものではプライバシーの問題は解消できるもののコスト高になるという問題がある。そこで、通気、採光可能なシャッター装置を安価に提供する手法として、シャッターカーテンの上方に位置する適宜数枚のスラットに、それぞれ複数の通気、採光用貫通孔を形成するようにしたもの（特許文献１）、あるいは、シャッターカーテン下端部のスラットに複数の通気、採光用貫通孔を形成したもの（特許文献２）等が提唱されている。
【先行技術文献】
【特許文献】
【０００３】
【特許文献１】特開２００２−３８８４５号公報
【特許文献２】特開２００４−８４４１７号公報
【発明の概要】
【発明が解決しようとする課題】
【０００４】
しかしながら、前記特許文献１のものは、通気、採光用貫通孔を形成したスラットが他のスラットとは異形に形成されているので、シャッターカーテンを全開姿勢として巻取りドラムに巻取る場合に、シャッターカーテンの上方に設けられて先行して巻取りドラムに巻装される通気、採光用のスラットが巻取りドラムの巻き形状（巻形）を乱し、後行して巻取りドラムに巻取られるスラットにより巻取りドラムの巻太りが発生し、シャッターケースを大型化しなければならないという問題がある。一方、特許文献２のものは、シャッターカーテンの下端部のみが通気、採光用貫通孔が形成された異形のスラットとなるので、巻取りドラムの巻太りの問題はないものの、下端部においてのみ通気、採光がなされることになるので、その効果を充分に発揮することはできず、必ずしも使用者のニーズに答えることはできないという問題がある。このように、何れにしても充分な通気、採光機能を有したシャッター装置を、コンパクト化を損なうことなく、しかも、安価に提供するという目的を達成することはできず、ここに本発明の解決すべき課題がある。
【課題を解決するための手段】
【０００５】
本発明は、上記の如き実情に鑑みこれらの課題を解決することを目的として創作されたものであって、請求項１の発明は、揺動自在に連結された開閉方向複数枚のスラットからなるシャッターカーテンを巻取りドラムに巻装し、巻取りドラムの正逆回転に伴いシャッターカーテンが開口部を開放する全開姿勢と開口部を閉鎖する全閉姿勢とのあいだを開閉変姿するよう構成された建築用シャッター装置において、前記シャッターカーテンを、互いに異形となる第一、第二スラットを用いて形成するにあたり、第一スラットは、開口部を目隠し状に閉鎖する汎用の閉塞用スラット、第二スラットは、通気、採光機能を有していて閉塞用スラットとは異形の通気用スラットであって、シャッターカーテンは、全閉姿勢から全開姿勢への変姿では、巻取りドラムに閉塞用スラットから順次巻装され、通気用スラットはシャッターカーテンの閉鎖方向先端部に設けられていて全開姿勢で巻取りドラムに巻装されたシャッターカーテンの最外周に巻装されるものであり、かつ、通気用スラットの連結枚数を、全開姿勢におけるシャッターカーテンの巻取りドラムへの巻装状態で、通気用スラット同士が積層状態とならない範囲の枚数に設定したことを特徴とする建築用シャッター装置である。
請求項２の発明は、第一、第二スラットは、開閉方向中間部の本体部と、該本体部の開閉方向両端部に形成され、隣接するスラットとの連結をする一対の連結片部とにより構成され、第一、第二スラットの連結片部同士が互いに連結可能な形状に形成されていることを特徴とする請求項１に記載の建築用シャッター装置である。
請求項３の発明は、シャッターカーテンは、第二スラットの閉鎖方向先端部に、主施錠装置が設けられた座板スラットが連結される一方、第一スラットと第二スラットとのあいだに、副施錠装置が設けられた施錠用スラットが連結されていることを特徴とする請求項１または２に記載の建築用シャッター装置である。
【発明の効果】
【０００６】
請求項１の発明とすることにより、互いに異形となるスラットを用いてシャッターカーテンを構成するものでありながら、シャッターカーテンの全開姿勢で、巻取りドラムが巻太りすることがなく、シャッターケースの大型化を防止することができる。しかも通気、採光機能を備えたシャッター装置を安価に提供できる。
請求項２の発明とすることにより、シャッター装置の部材を変更することなく、第一スラットにより構成されたシャッターカーテンを、下端部に第二スラットが連結されたシャッターカーテンに変更することができる。
請求項３の発明とすることにより、防犯性の高いシャッター装置とすることができる。
【図面の簡単な説明】
【０００７】
【図１】建築用シャッター装置の屋外側からの正面図である。
【図２】建築用シャッター装置の一部を切欠いた状態の側面断面図である。
【図３】図３（Ａ）、（Ｂ）はそれぞれシャッターカーテンの一部を切欠いた背面図、側面図、図３（Ｃ）は閉塞用スラットの側面図である。
【図４】図４（Ａ）、（Ｂ）はそれぞれ通気用スラットの正面図、図４（Ａ）のＸ−Ｘ断面図である。
【図５】図５（Ａ）、（Ｂ）はそれぞれ施錠用スラットの正面背面図、図５（Ａ）のＸ−Ｘ断面図である。
【図６】図６（Ａ）、（Ｂ）は施錠用スラットが連結されない場合（第二の実施の形態）のシャッターカーテンの一部を切欠いた正面図、側面図である。
【図７】図７（Ａ）、（Ｂ）はそれぞれ第三の実施の形態の通気用スラットの正面図、図７（Ａ）のＸ−Ｘ断面図である。
【発明を実施するための形態】
【０００８】
以下、本発明の第一の実施の形態について、図面に基づいて説明する。
図面において、１は住宅の窓部に設けられるバランス式（手動式）の建築用のシャッター装置であって、該シャッター装置１は、窓部に引き違い式に設けられる左右一対のサッシ窓（図示せず）の屋外側に設けられている。前記シャッター装置１を構成するシャッターカーテン２は、後述するように、左右方向に長い複数枚のスラットを揺動自在な状態で上下方向に一連状に連結することにより構成されている。前記シャッターカーテン２の上端縁部は、躯体開口部の上方に配されるシャッターケース３に正逆回転自在に内装される巻取りドラム４に連結されて、巻取りドラム４に巻装されるように構成されている。そして、巻取りドラム４に巻装されたシャッターカーテン２は、引下ろし操作（閉鎖操作）することに伴い、巻取りドラム４から巻出されて下方移動して開口部を閉鎖する全閉姿勢となり、引上げ操作（開放操作）することに伴い、上方移動して巻取りドラム４に巻取られて開口部を開放する全開姿勢となるように構成されている。このとき、シャッターカーテン２の左右両側縁部は、窓部屋外側の左右に立設されたガイドレール５に嵌挿されており、開閉移動における移動案内を受けるように構成されている。
また、前記巻取りドラム４には、シャッターカーテン２の巻出し（閉鎖作動）に伴い、該巻出されたシャッターカーテン２の自重にバランスする付勢力を蓄勢するバランス弾機４ａが介装されている。これによって、シャッターカーテン２は、下方に引き下げる閉鎖操作がなされることにより、自重閉鎖するとともにバランス弾機４ａが蓄勢され、上方へ引き上げる開放操作がなされることにより、バランス弾機４ａの付勢力を受ける状態で開口部を開放するように構成されており、これらの基本構成は何れも従来通りとなっている。
【０００９】
前記シャッターカーテン２は、図１、３に示すように、主として二種類のスラットを用いて構成されている。前記主たるスラットとしては、一般に汎用されるスラットであって、開口部を目隠し状に閉鎖する閉塞用スラット６（本発明の第一スラットに相当する）と、該閉塞用スラット６とは異形となり、開口部を閉鎖した状態で通気、採光機能を果す通気用スラット（本発明の第二スラットに相当する）７とが用いられている。そして、シャッターカーテン２は、上下方向中間部から上方部位については複数枚の閉塞用スラット６同士を連結して構成され、下方部位は複数枚の通気用スラット７同士を連結して構成されている。さらに、本実施の形態のシャッターカーテン２は、シャッターカーテン２の最下端であって、最下端に位置する通気用スラット７の下方に座板スラット８が連結され、また、最下端の閉塞用スラット６と最上端の通気用スラット７とのあいだに一枚の施錠用スラット９が連結されている。
【００１０】
前記閉塞用スラット６は、金属材（スティール）をロールフォーミングすることによって長尺状に形成されるものであって、一般的なシャッターカーテンに用いられる汎用タイプのものが採用されている。つまり、閉塞用スラット６は、図３（Ｃ）に示すように、上下方向（シャッターカーテン２の開閉方向）中間部の本体部６ａと、該本体部６ａの上下端縁部（短尺方向両端縁部）の第一、第二連結片部（インターロック片部）６ｂ、６ｃとにより構成されている。前記本体部６ａは屋内側（内側）に向けて膨出する湾曲部を備えて形成されており、開口部を目隠し状に覆うように構成されている。また、第一、第二連結片部６ｂ、６ｃは側面視ロール形状となっており、隣接する閉塞用スラット６同士は、互いの第一、第二連結片部６ｂ、６ｃ同士を左右方向からスライド嵌入することにより、揺動自在なインターロック連結がなされるように構成されている。
尚、１０は、任意の閉塞用スラット６であって、あいだに二枚の閉塞用スラット６をおいた閉塞用スラット６の左右端部に配される端部材であって、これら端部材１０は、シャッターカーテン２の開閉移動時においてガイドレール５に対する緩衝、消音部材として機能するように構成されている。
【００１１】
また、前記通気用スラット７は、アルミニウムを押し出し加工、打ち抜き加工を実施することにより形成されている。まず、押し出し加工により、上下方向中間部に位置する所定板厚Ｌ１を存した平板状の本体部７ａと、該本体部７ａの上下端縁部（短尺方向両端縁部）の第一、第二連結片部（インターロック片）７ｂ、７ｃとを備えた長尺体を形成し、続いて、本体部７ａの複数箇所に対して打ち抜き加工を実施して屋内外方向に貫通する貫通孔７ｄを打ち抜き形成することにより通気用スラット７が形成されている。
ここで、通気用スラット７の本体部７ａは、上下方向を向く平板状に形成されており、第一、第二連結片部７ｂ、７ｃよりも室内側に偏倚するように形成されている。また、第一、第二連結片部７ｂ、７ｃは互いにインターロック連結可能であり、さらには、閉塞用スラット６の第一、第二連結片部６ｂ、６ｃに対してもインターロック連結可能な形状に形成されており、隣接する通気用スラット７同士は、互いの第一、第二連結片部７ｂ、７ｃ同士を左右方向からスライド嵌入することにより、揺動自在なインターロック連結がなされるように構成されている。
尚、１１は任意の通気用スラット７であって、一枚おきの通気用スラット７の左右両端部に設けられた端部材であって、これら端部材１１は、シャッターカーテン２の開閉移動時においてガイドレール５に対する緩衝、消音部材として機能するとともに、隣接する通気用スラット７の位置ズレ防止部材として機能するように構成されている。
【００１２】
一方、通気用スラット７の本体部７ａは、図４（Ａ）、（Ｂ）に示すように、予め設定される板厚Ｌ１を存して形成されている。そして、本体部７ａの屋内外面には、それぞれ屋内外方向に向けて突出する左右方向に長い屋内側リブ７ｅ、屋外側リブ７ｆ（屋内外側リブ７ｅ、７ｆ）が上下方向に複数形成されており、これによって、本体部７ａの強度アップが図れるように構成されている。これら屋内外側リブ７ｅ、７ｆは、それぞれ本体部７ａに対して直交方向に突出し、かつ、上下方向同位置において形成されている。そして、本体部７ａの屋内外側リブ７ｅ、７ｆ形成部位は板厚Ｌ２となって、屋内外側リブ７ｅ、７ｆが形成されない板厚Ｌ１部位よりも厚板状となるように構成されている。前記屋内外側リブ７ｅ、７ｆは、本実施の形態では、上下方向に十二本形成されており、第一間隔Ｈ１を存する二本の屋内外側リブ７ｅ、７ｆを一組としたとき、六組の屋内外側リブ７ｅ、７ｆが上下方向に第二間隔Ｈ２を存して形成されている。これら上下方向に隣接する二組の屋内外側リブ７ｅ、７ｆのあいだを平板部７ｇとしたとき、これら各平板部７ｇは上下方向五箇所に並列して形成され、それぞれ板厚Ｌ１、第二間隔Ｈ２に相当する上下長さを有するように設定されている。ここで、第二間隔Ｈ２は第一間隔Ｈ１よりも長い寸法（Ｈ２＞Ｈ１）に設定されるとともに、第二間隔Ｈ２は人の指先が入り込むことのない長さ（本実施の形態では２ミリメートル）に設定されている。
【００１３】
そして、上下方向五箇所に形成される平板部７ｇに、複数の通気、採光機能を発揮する前記貫通孔７ｄが打ち抜き形成されている。この場合に、各貫通孔７ｄは、図４（Ａ）に示すように、左右方向に長い長円形状になっており、左右幅Ｔ１に設定されるとともに、上下幅は平板部７ｇの上下長さ、即ち、第二間隔Ｈ２よりも僅かに短い上下孔長さＨ３に設定されていて、一つ一つの貫通孔７ｄが小さいものとなって雨水等が吹き込み難い形状となっている。さらに、各平板部７ｇにおいて左右方向に隣接する貫通孔７ｄ同士は、貫通孔７ｄの左右幅Ｔ１よりも長い対向間隔Ｔ２を存して形成されている。そして、任意の平板部７ｇに形成される貫通孔７ｄは、前記任意の平板部７ｇに上下方向に隣接する平板部７ｇの対向間隔Ｔ２に隣接する部位に位置して形成されている。これによって、左右方向に並列する貫通孔７ｄは、貫通孔７ｄの左右幅Ｔ１より長い対向間隔Ｔ２を存して形成され、上下方向に並列する貫通孔７ｄは一つおきの平板部７ｇに形成されるように構成されている。このような位置関係で貫通孔７ｄを形成することにより、多数の貫通孔７ｄが形成されて通気、採光機能を充分に発揮できるものでありながら、本体部７ａの強度を損なうことがないように配慮されている。また、通気用スラット７をアルミニウム製とすることにより、多数の貫通孔７ｄを開設したとしてもスティール製のもののように切断面に錆が発生するような心配がないように配慮されている。
【００１４】
このように、貫通孔７ｄは、上下方向に隣接する二組の屋内外側リブ７ｅ、７ｆのあいだに形成される平板部７ｇに対し、屋外側から屋内側に向く方向で打ち抜き形成されている。この場合に、貫通孔７ｄの上下方向の孔縁は、上側に位置する屋内外側リブ７ｅ、７ｆの下側片近傍、下側に位置する屋内外側リブ７ｅ、７ｆの上側片近傍に沿って形成されている。これによって、貫通孔７ｄを打ち抜き形成することにより屋内側に向けて突出するバリが発生したとしても、上下のバリは、貫通孔７ｄの上下に位置する屋内側リブ７ｅの下側、上側の各側片に沿って形成され、バリとして先端尖鋭状に突出することがないように構成されている。しかも、貫通孔７ｄの孔縁に発生するバリは屋内側に突出するが、このものでは、屋内側リブ７ｅが平板部７ｇよりも屋内側に突出して形成され、バリが屋内側リブ７ｅを越えて突出することがないように構成されている。これによって、バリが突出する惧れのある通気用スラット７の屋内側面に人の手や指先等が触れたとしても、平板部７ｇの上下長さ（第二間隔Ｈ２）が短く、手や指先が貫通孔７ｄが形成された平板部７ｇに入り込むことがなく、貫通孔７ｄの孔縁のバリに達する前の段階で屋内側リブ７ｅに触れ、該屋内側リブ７ｅに遮られる状態で、使用者がバリに直接触れて怪我をするようなことがなく、もって、バリを除去する（バリ処理）作業を不要にできるように構成されている。
因みに、屋内側リブ７ｅは屋外側リブ７ｆより突出長さが長く設定されており、バリが発生したとしても該バリの突出量よりも屋内側リブ７ｅのほうが長く突出するように設定されている。
【００１５】
さらに、前記通気用スラット７は、本体部７ａが第一、第二連結片部７ｂ、７ｃ形成位置に対して屋内側に偏倚しており、上端側（開放方向）の第一連結片部７ｂと本体部７ａとのあいだの屋外側面には、本体部７ａよりも屋外側に偏倚して閉鎖方向（下方）に突出する雨水誘導突起７ｈが左右方向長尺状に形成されている。これによって、通気用スラット７の屋外側面に降りかかって付着した雨水等を下方に向けて誘導し、貫通孔７ｄが多数形成された本体部７ａ側に雨水等が流れ込むのを防止するように構成されている。
さらに、通気用スラット７の貫通孔７ｄは、屋外側リブ７ｆよりも屋内側に退避する平板部７ｇに形成されており、これによって、屋外側リブ７ｆが庇としての機能を発揮できるように構成されている。そのうえ、貫通孔７ｄは、上下の孔縁が屋内外側リブ７ｅ、７ｆに沿って形成されていることから、上下方向の孔長さは、上下に隣接する二組の屋内外側リブ７ｅ、７ｆの間隔である（平板部７ｇの上下長さである）第二間隔Ｈ２よりも僅かに短い上下孔長さＨ３に設定されている。そして、前記第二間隔Ｈ２の長さは、本実施の形態では、屋内外側リブ７ｅ、７ｆ形成部位の板厚Ｌ２に相当する長さと同様の寸法（Ｈ２＝Ｌ２）に設定されている。これによって、通気用スラット７は、各貫通孔７ｄの孔形状が小さい寸法に設定されているうえ、各貫通孔７ｄの屋内外方向の孔長さは屋内外側リブ７ｅ、７ｆ形成部位における板厚Ｌ２に略相当していて、上下方向の孔長さＨ３よりも長く設定されている。これによって、シャッターカーテン２に雨水等が吹き付けるような場合であっても、雨水が貫通孔７ｄを介して屋内側にまで吹き込み難く、さらには、屋内側を覗かれることがなく、プライバシー保護が図れるように構成されている。
【００１６】
また、シャッターカーテン２の最下端に連結される座板スラット８は、通気用スラット７と同様にアルミニウムを押し出し加工することにより長尺状に形成されている。前記座板スラット８は、閉塞用スラット６、通気用スラット７とは異形に形成されており、上下方向を向く平板状のスラット片部８ａと、該スラット片部８ａの下端縁から屋内外方向に延出する下端片部８ｂと、スラット片部８ａの上端縁に形成され、通気用スラット７の第二連結片部７ｃにインターロック連結可能な連結片部８ｃとを備えて構成されている。
【００１７】
そして、前記座板スラット８のスラット片部８ａの屋内側面に主施錠装置１２が設けられている。本実施の形態の主施錠装置１２は、スラット片部８ａの左右方向一方（図１の図面向かって右側）に偏倚して設けられており、使用者は左右一対のサッシ窓の内の前記一方を開放することにより操作できる部位に位置して配設されている。
前記主施錠装置１２は自動施錠タイプであって、スラット片部８ａに対して左右方向移動自在に設けられる左右一対のラッチバー１２ａと、これらラッチバー１２ａに連動連結される操作レバー１２ｂとを備えて構成されている。そして、一対のラッチバー１２ａは、シャッターカーテン２が全閉姿勢になることに伴い左右方向に適宜変位して、左右のガイドレール５下端部にそれぞれ設けられる主ラッチ受け片５ａに自動的に係止して、シャッターカーテン２の開放規制（施錠状態）をするように構成されている。また、操作レバー１２ｂは、上動操作されることでラッチバー１２ａを左右方向内方に変位せしめて、ラッチバー１２ａと主ラッチ受け片５ａとの係止解除をするように構成されている。さらに、前記操作レバー１２ｂは、先端に把持部１２ｃが連結された紐状の操作具１２ｄが連結されている。そして、全閉姿勢となっているシャッターカーテン２に対し、把持部１２ｃ（操作具１２ｄ）を把持して上動操作することにより、主施錠装置１２の解錠操作と、シャッターカーテン２の開放操作とが連続してなされるように構成されている。
【００１８】
さらに、閉塞用スラット６と通気用スラット７とのあいだに連結される施錠用スラット９は、通気用スラット７と同様にアルミニウムを押し出し加工することにより長尺状に形成されている。前記施錠用スラット９は、閉塞用スラット６、通気用スラット７、座板スラット８とは異形に形成されており、上下方向中間部に位置する平板状の本体部９ａと、該本体部９ａの上下端縁部（短尺方向両端縁部）の第一、第二連結片部（インターロック片）９ｂ、９ｃとを備えて構成されている。前記本体部９ａの屋外側面には、通気用スラット７と同様の屋外側リブ９ｄが上下方向複数（八本）形成されており、通気用スラット７と統一感のある意匠となって意匠性の向上が図られている。また、第一、第二連結片部９ｂ、９ｃは、閉塞用スラット６の第二連結片部６ｃ、通気用スラット７の第一連結片部７ｂとインターロック連結可能な形状に形成されている。
そして、施錠用スラット９は、第一連結片部９ｂを最下端に位置する閉塞用スラット６の第二連結片部６ｃに、第二連結片部９ｃを最上端に位置する通気用スラット７の第一連結片部７ｂに対し、それぞれ左右方向からスライド嵌合させることにより、閉塞用スラット６と通気用スラット７とのあいだに揺動自在な状態でインターロック連結されている。
【００１９】
また、前記施錠用スラット９は、本体部９ａの屋内側面に副施錠装置１３が設けられている。前記副施錠装置１３は、施錠用スラット本体部９ａの屋内側面に形成された上下一対のガイド片９ｅに抜止め状、かつ、左右方向移動自在に内装される左右一対のラッチバー１３ａと、これらラッチバー１３ａの左右方向内端部にそれぞれ一体的に連結される手動操作用のスライダー１３ｂとを備えて構成されている。前記スライダー１３ｂはガイド片９ｅに外嵌状に設けられ、ガイド片９ｅに沿って左右方向移動自在となるように構成されており、これら各スライダー１３ｂの左右方向への変位に追随してラッチバー１３ａの左右方向外端部が施錠用スラット９の左右両端部から出没するように構成されている。そして、副施錠装置１３は、シャッターカーテン２の全閉姿勢において、左右のスライダー１３ｂを左右方向にスライド操作することで、各ラッチバー１３ａの左右方向外端部が左右のガイドレール５にそれぞれ設けられた副ラッチ受け片５ｂに係脱自在に係止して、シャッターカーテン２を開放規制（施錠状態）、開放規制解除（解錠状態）とするように構成されている。
これら左右のスライダー１３ｂは、座板スラット８に設けられた主施錠装置１２の操作レバー１２ｂ（把持部１２ｃ（操作具１２ｄ））部の直上方向に位置して設けられている。これによって、使用者は、前述したように、主施錠装置１２を操作するべく一方のサッシ窓を開放することにより、主施錠装置１２の把持部１２ｃ（操作具１２ｄ）の操作と、副施錠装置１３の一対のスライダー１３ｂの操作との両方の操作ができるように構成されている。
【００２０】
このように、シャッターカーテン２は、図３に示すように、複数枚の閉塞用スラット６、施錠用スラット９、複数枚の通気用スラット７、そして、座板スラット８をそれぞれインターロック連結することにより互いが揺動自在な状態で一連状に連結されている。そして、全閉姿勢のシャッターカーテン２を開放させる場合では、副施錠装置１３を解錠操作し、主施錠装置１２の把持部１２ｃ（操作具１２ｄ）を上動することにより、シャッターカーテン２がバランス弾機４ａの付勢力を受けて巻取りドラム４に巻装されて開口部を開放するように構成されている。この場合に、巻取りドラム４は、図２に示すように、全閉姿勢のシャッターカーテン２の屋外側に位置しており、シャッターカーテン２は、全閉姿勢において屋外側を向く面（屋外側面）が巻取りドラム４に対して内側面となって巻装されるように構成されている。
【００２１】
この全開姿勢への変姿において、シャッターカーテン２は、上方の閉塞用スラット６から順次巻装され、これら閉塞用スラット６に続いて施錠用スラット９、複数枚の通気用スラット７が巻取りドラム４に巻取られ、シャッターカーテン２の全開姿勢では、シャッターカーテン２の最下端に位置する座板スラット８の左右に設けられたストッパ片８ｄがシャッターケース３に形成されるまぐさ部３ａに係止する状態となって、全開姿勢が保持されるように構成されている。このシャッターカーテン２の全開姿勢における巻取りドラム４への巻装状態において、通気用スラット７の下端側と座板スラット８とは巻取りドラム４に巻装されることはないように構成されている。さらに、この巻装状態において、閉塞用スラット６とは異形となる施錠用スラット９、通気用スラット７とは、これら異形のスラット９、７同士が巻取りドラム４の外周上で互いに積層することがないよう、通気用スラット７の枚数が調整されている。因みに、この条件を満足するため、本実施の形態では、一枚の施錠用スラット９と七枚の通気用スラット７とが用いられている。
【００２２】
このように、本実施の形態のシャッターカーテン２は、下端部に七枚の通気用スラット７が連結されており、これによって、通気、採光機能を十分発揮することができるように構成されるが、この場合に、閉塞用スラット６とは異形となって、巻取りドラム４に巻取られた状態で巻形を乱す惧れのある異形のスラット９、７は巻取りドラム４の最外周に巻取られていて、巻取りドラム４の巻形が乱れて巻太りするような不具合がなく、シャッターケース３のコンパクト化を損なうことがないように構成されている。
因みに、本実施の形態では、通気用スラット７は七枚用いられており、シャッターカーテン２の全開姿勢において、閉塞用スラット６とは異形となる施錠用スラット９と通気用スラット７とが巻取りドラム４外周の略半分に巻装されている。従って、このものでは、さらに多くの通気用スラット７を連結する余地があり、設置環境や使用者のニーズに合わせて通気用スラット７の枚数を適宜増減することが可能である。
【００２３】
そして、シャッターカーテン２の全閉姿勢では、下端部に通気用スラット７が配設されて、該部位において貫通孔７ｄを介して通気、採光効果を発揮することが可能であるが、反面、通気用スラット７に複数の貫通孔７ｄが開設されているが故に、該貫通孔７ｄを利用して主施錠装置１２の近傍部位を破壊して、主施錠装置１２の操作レバー１２ｂを操作される惧れがあって防犯性に劣ることが懸念される。これに対し、このものでは、座板スラット８に設けられる主施錠装置１２により施錠するとともに、通気用スラット７よりも上方位置となる閉塞用スラット６とのあいだに配される施錠用スラット９に設けた副施錠装置１３により施錠することができるように構成されており、これによって、防犯性の問題を解決できるように配慮されている。
尚、副施錠装置１３は設置環境によっては必ずしも必要となる部材ではなく、その場合では、図６に示す第二の実施の形態のシャッターカーテン１４のように、閉塞用スラット６と通気用スラット７とを直接連結することになるが、この場合に、閉塞用スラット６の第二連結片部６ｃと通気用スラット７の第一連結片部７ｂとはインターロック連結可能に構成されているので、前記構成を容易に実施することができる。そして、この場合でも、通気用スラット７の枚数を、シャッターカーテン１４の全開姿勢における巻取りドラム４への巻装状態で、通気用スラット７同士が積層しない範囲の枚数とすることで、巻取りドラム４の巻形が乱れて巻太りするようなことがなく、シャッターケース３の大型化を回避することができる。
【００２４】
叙述の如く構成された本形態において、通気、採光機能を備えたシャッター装置１を構成するにあたり、シャッターカーテン２は、複数枚の閉塞用スラット６と、該閉塞用スラット６とは異形に形成される複数の貫通孔７ｄが開設された複数枚の通気用スラット７とを用いて構成されていて、通気、採光機能を十分発揮できるシャッター装置１となり、しかも、安価に提供することができる。この場合に、シャッターカーテン２が全開姿勢となって、巻取りドラム４にシャッターカーテン２が巻装された状態において、閉塞用スラット６とは異形となる施錠用スラット９、通気用スラット７とは、巻取りドラム４上において互いに積層されることのない枚数の範囲で設けられている。この結果、シャッターカーテン２を全開姿勢としたとき、巻取りドラム４におけるシャッターカーテン２の巻形状が乱れるような不具合がなく、互いに異形となるスラット６、スラット９、７を用いてシャッターカーテン２を構成したものでありながら、巻取りドラム４が巻太りしてシャッターケース３のコンパクト化を損なうようなことがない。
【００２５】
このように、本発明が実施されたものにあっては、一般的な閉塞用スラット６に対して異形に形成される通気用スラット７、施錠用スラット９を連結しても巻取りドラム４の巻太りを防止できるものである。さらに、このものでは、閉塞用スラット６の第一、第二連結片部６ｂ、６ｃにインターロック連結可能な第一、第二連結片部７ｂ、７ｃ、９ｂ、９ｃを有して形成されている。この結果、一般的な閉塞用スラット６のみで構成されるシャッターカーテンの下方部位の閉塞用スラット６を取外し、本実施の形態の通気、採光機能を備えた通気用スラット７に付け換えることにより、一般的なシャッター装置から通気、採光機能を付加したシャッター装置に変更することができ、しかも、巻太りがないことからシャッターケース３やガイドレール５等の各部材をそのまま用いることができて、機能性の高いシャッターカーテン２を安価に提供できるという利点もある。
【００２６】
また、本発明が実施されたものにあっては、閉塞用スラット６の下端部に、巻取りドラム４上で積層することがない範囲の枚数で通気用スラット７を連結する構成としたので、複数枚の通気用スラット７に形成される多数の貫通孔７ｄにより充分な通気、採光効果を得ることができるものでありながら、安価なシャッター装置とすることができる。
【００２７】
また、このものでは、通気用スラット７に貫通孔７ｄが形成されることから防犯性が損なわれることが想定されるが、本実施の形態のものでは、最下端の座板スラット８に設けた主施錠装置１２と、閉塞用スラット６と通気用スラット７とのあいだの施錠用スラット９に設けた副施錠装置１３との二つの施錠装置１２、１３により施錠される構成としたので、防犯性が向上する。
【００２８】
尚、本発明は前記実施の形態に限定されないことは勿論であって、第一、第二スラットを用いて構成されるシャッターカーテンにおいて、シャッターカーテンは、第一スラットとは異形となる第二スラットの複数枚が第一スラット連結部の下方に連結されるものとし、該下方に連結される第二スラットの枚数を、全開姿勢のシャッターカーテンが巻取りドラムに巻装された状態において、第二スラット同士が積層しない範囲の枚数とすることにより、巻取りドラムが巻太ることがなく、シャッターケースのコンパクト化を図ることができる。この場合に、第二スラットとして、図７に示す第三の実施の形態の通気用スラット１５を用いることも可能であり、このようにすることにより、通気、採光機能が一層優れたシャッター装置とすることができる。
【００２９】
つまり、前記通気用スラット１５は、アルミニウム（アルミ材）を押し出し加工する工程と、打ち抜き加工する工程とを順次実施することにより形成され、所定板厚Ｒ１を存した平板状の本体部１５ａと、該本体部１５ａの上下端縁部（短尺方向両端縁部）の第一、第二連結片部（インターロック片）１５ｂ、１５ｃとを備えた長尺体となっており、前記本体部１５ａに形成される通気、採光用の貫通孔１５ｄは、本体部１５ａの屋内外面にそれぞれ上下方向複数形成される左右方向に長く、屋内外方向に突出する屋内外側リブ１５ｅ、１５ｆの上下方向に対向する対向間である平板部１５ｇに形成されており、これらの基本構成は、前記第一の実施の形態で用いた通気用スラット７と同様である。
そして、このものでは、屋内外に対向する各一対の屋内外側リブ１５ｅ、１５ｆを形成することにより厚板状の板厚Ｒ２となるとともに、上下方向に隣接する各屋内外側リブ１５ｅ、１５ｆが、それぞれ本体部１５ａに対して屋内側ほど高位となるよう傾斜状に突出しており、任意の屋内外一対の屋内外側リブ１５ｅ、１５ｆが一直線上に位置するように構成されている。尚、第一間隔Ｍ１を存して上下方向に対向する二本の屋内外側リブ１５ｅ、１５ｆをそれぞれ一組としたとき、屋内外の各組の屋内外側リブ１５ｅ、１５ｆ同士は上下方向に第二間隔Ｍ２を存して形成されている。これら第二間隔Ｍ２は、平板部１５ｇに相当するとともに、人の指先が入り込むことのない寸法（本実施の形態では２ミリメートル）に設定されており、ここに、前記貫通孔１５ｄが左右方向に長い長円状に打ち抜き形成されている。さらに、このものにおいて、前記各貫通孔１５ｄは、屋外側から屋内側に向けて打ち抜く方向が、屋内側ほど高位となる傾斜方向に設定されていて、貫通孔１５ｄの上下の孔端面の傾斜方向が、屋内外一対の屋内外側リブ１５ｅ、１５ｆにより設定される傾斜方向と同方向となるように設定されている。
これによって、貫通孔１５ｄの上部に位置する屋外側リブ１５ｆの突出端部が貫通孔１５ｄ上側縁部の屋外側に対向しており、屋外側リブ１５ｆは、貫通孔１５ｄの庇としての機能が向上し、雨仕舞いの一層優れた通気用スラット１５となるように構成されている。さらに、貫通孔１５ｄを傾斜方向に打ち抜くことにより、貫通孔１５ｄの開口面積を、平板部１５ｇに対して直交方向に打ち抜いて形成される貫通孔の開口面積よりも大きくすることができ、通気、採光機能を向上させることができるように構成されている。
尚、通気用スラット１５には雨水誘導突起１５ｈが形成されていて、通気用スラット１５に付着した雨水等を下方に向けて誘導することで、さらなる雨仕舞いの向上が図られている。
【産業上の利用可能性】
【００３０】
本発明は、通気、採光機能が付加されたシャッター装置において、機能性を十分発揮でき、しかも、安価でコンパクト化が損なわれない構成とする場合に利用することができる。
【符号の説明】
【００３１】
１  シャッター装置
２  シャッターカーテン
３  シャッターケース
４  巻取りドラム
５  ガイドレール
６  閉塞用スラット
７  通気用スラット
７ａ  本体部
７ｂ  第一連結片部
７ｄ  貫通孔
７ｅ  屋内側リブ
８  座板スラット
９  施錠用スラット
１２  主施錠装置
１３  副施錠装置
【図１】
0005450162.tif 000002
【図２】
0005450162.tif 000003
【図３】
0005450162.tif 000004
【図４】
0005450162.tif 000005
【図５】
0005450162.tif 000006
【図６】
0005450162.tif 000007
【図７】
0005450162.tif 000008